(57)【要約】【課題】  常時作動しているインターホンの表示部を有効利用する。【解決手段】  各家庭２の配置されているインターホン親機４をインターネット１２に接続してある。このインターホン親機４は、表示部６を有し、テレビカメラからの画像信号に基づいて画像を表示するのに加えて、インターネット１２からの情報を画像として表示する。インターネット１２に接続された情報提供サーバー１４に、情報登録用コンピュータ１６から火災等の情報が登録されたとき、情報提供サーバー１４はインターホン親機４に情報を伝送する。これによって、インターホン親機４の表示部６には、火災情報が表示される。【選択図】        図１
2005176170.tif 000002
【特許請求の範囲】
【請求項１】
インターネットに接続され、前記インターネットからの情報を画像として表示する画像表示手段を有し、常に動作しているインターホン機と、
前記インターネットに接続され、情報が登録されたとき、前記インターホン機に前記情報を伝送するサーバーとを、
具備するインターホンシステム。
【請求項２】
請求項１記載のインターホンシステムにおいて、前記インターホン機が複数台設置され、前記サーバーは、前記各インターホン機に関する情報を有し、前記情報が登録されたとき、前記各インターホン機に関する情報を参照して、前記情報を送信する前記インターホン機を決定するインターホンシステム。
【請求項３】
請求項１記載のインターホンシステムにおいて、前記インターホン機は、前記サーバーから前記情報が伝送されたとき、報知手段を作動させるインターホンシステム。
【請求項４】
インターネットに接続され、情報が登録される情報提供サーバーと、この情報サーバーから前記情報を含むメールが所定のアドレスに伝送されるメールサーバーとを、有するサーバーと、
前記インターネットに接続され、前記インターネットからメールで伝送された情報を画像として表示する画像表示手段を有し、所定時間ごとに前記メールサーバーの対応するメールアドレスにアクセスし、前記情報を含むメールが存在するとき、この情報を含むメールを前記画像表示手段に表示するインターホン機とを、
具備するインターホンシステム。
【請求項５】
請求項４記載のインターホンシステムにおいて、前記インターホン機がそれぞれ異なるメールアドレスを有して複数台設けられ、前記情報提供サーバーは、前記各インターホン機に関する情報を有し、前記情報が登録されたとき、各インターホン機に関する情報を参照して、前記情報を送信するメールアドレスを決定するインターホンシステム。
【請求項６】
請求項４記載のインターホンシステムにおいて、前記インターホン機は、前記情報を含むメールを画像表示手段に表示するとき、報知手段を作動させるインターホンシステム。
【発明の詳細な説明】
【技術分野】
【０００１】
本発明は、インターホンシステムに関し、特に画像表示手段を備えたインターホンシステムに関する。
【背景技術】
【０００２】
インターホンシステムには、例えば屋内に配置された親機と、屋外に配置された子機とからなり、少なくとも子機には、テレビカメラとマイクロホンとスピーカとが設けられ、親機にはマイクロホンとスピーカの他に、テレビカメラで撮影された画像を表示するブラウン管を備えたものがある。このようなインターホンシステムの一例が、特許文献１に開示されている。
【０００３】
【特許文献１】特開２００２−７７８９１号公報
【発明の開示】
【発明が解決しようとする課題】
【０００４】
しかし、上記のようなインターホンシステムでは、画像表示用のブラウン管を備えているにも拘わらず、訪問者があったときに、テレビカメラの映像を表示することにしか使用されていない。また、インターホンシステムは、いつ来訪者があっても対応することができるように、常時作動させていることが一般的である。このように常時使用することができるブラウン管のような表示装置が備えられているにも拘わらず、その有効利用が図られていない。
【０００５】
本発明は、常時作動しているインターホンシステムの表示装置を有効利用することを目的とする。
【課題を解決するための手段】
【０００６】
本発明の一態様によるインターホンシステムは、インターホン機、例えば家庭に備えられているインターホン親機を有している。このインターホン機は、インターネットを介して情報提供サーバーに接続され、この情報提供サーバーからの情報を画像として表示する画像表示手段を有している。この画像表示手段は、二次元画像を表示することができるものであれば、種々のものを使用することができる。この画像表示手段は、来訪者等を撮影した撮像手段からの映像も表示するように構成されている。このインターホン機は常に動作している。インターネットに接続された情報提供サーバーに、情報が登録されたとき、このサーバーは前記インターホン機に前記情報を伝送する。情報は、例えば情報登録用機器を使用して、人手によってサーバーに登録することもできるし、センサを設け、そのセンサの信号が予め定めた値になったときに、自動的にサーバーに登録することもできる。情報の種類として種々のものを使用することができ、例えば広告宣伝用の情報とすることもできるし、緊急事態発生の報知用の情報とすることもできる。なお、情報提供サーバーは、Ｗｅｂサーバーとして動作し、ＣＧＩ（Ｃｏｍｍｏｎ  Ｇａｔｅｗａｙ  Ｉｎｔｅｒｆａｃｅ）を利用して、インターホンに情報を伝送する。
【０００７】
このように構成されたインターホンシステムでは、サーバーに情報が登録されたとき、その情報が自動的にインターホン機に伝送され、その画像表示手段にその情報が表示される。従って、使用頻度が余り高くない画像表示手段を利用して、インターネットを介してサーバーから情報がいつ伝送されても、その情報を表示することができ、画像表示手段の利用度を高めることができる。
【０００８】
前記インターホン機は複数台設置することができる。例えば異なる家庭ごとに設置することができる。この場合、前記サーバーは、前記各インターホン機に関する情報を有している。このサーバーに、前記インターホン機に伝送する情報が登録されたとき、前記各インターホン機に関する情報を参照して、前記情報を送信する前記インターホン機をサーバーが決定する。このように構成すると、必要とされるインターホン機の画像表示手段にのみ情報を伝送することができる。
【０００９】
インターホン機は、前記サーバーから前記情報が伝送されたとき、報知手段を作動させることもできる。このように構成すると、情報が伝送されてきたことを、インターホン機の近傍に居る人が知ることができる。
【００１０】
本発明の他の態様のインターホンシステムでは、サーバーがインターネットに接続されている。このサーバーは、情報が登録される情報提供サーバーと、この情報サーバーから前記情報を含むメールが所定のメールアドレスに伝送されるメールサーバーとを、有している。インターネットにインターホン機が接続されている。このインターホン機は、前記インターネットからメールで伝送された情報を画像として表示する画像表示手段を有している。この画像表示手段は、二次元画像を表示することができるものであれば、種々のものを使用することができる。この画像表示手段は、来訪者等を撮影した撮像手段からの映像も表示するように構成されている。このインターホン機は、所定時間ごとに前記メールサーバーの対応するメールアドレスにアクセスし、そのメールアドレスに前記情報を含むメールが存在するとき、この情報を含むメールを前記画像表示手段に表示する。
【００１１】
このように構成されたインターホンシステムでは、所定時間ごとにインターホン機が、自己に割り当てられたメールアドレスにアクセスし、そのメールアドレスに情報提供サーバーから情報を含むメールが伝送されていると、これを画像表示手段に表示する。従って、使用頻度が余り高くない画像表示手段を利用して、インターネットを介してサーバーから伝送された情報を表示することができ、画像表示手段の利用度を高めることができる。
【００１２】
前記インターホン機がそれぞれ異なるメールアドレスを有して複数台設けることができる。この場合、前記情報提供サーバーは、前記各インターホン機に関する情報を有し、前記情報が登録されたとき、各インターホン機に関する情報を参照して、前記情報を送信するメールアドレスを決定する。このように構成すると、必要とされるインターホン機の画像表示手段にのみ情報を伝送することができる。
【００１３】
前記インターホン機は、前記情報を含むメールを画像表示手段に表示するとき、報知手段を作動させることもできる。このように構成すると、情報が伝送されてきたことを、インターホン機の近傍に居る人が知ることができる。
【発明の効果】
【００１４】
以上のように、本発明によれば、使用頻度が余り高くないインターホン機の画像表示手段を有効利用して、その使用効率を高めることができる。
【発明を実施するための最良の形態】
【００１５】
本発明の第１の実施の形態のインターホンシステムは、図１に示すように、様々な家庭２に設けられたインターホン機、例えばインターホン親機４を有している。このインターホン親機４は、例えば住居の屋内に設けられており、マイクロホン及びスピーカを備え、例えば屋外に設けられたインターホン子機（図示せず）と通話が行えるように構成されている。更に、インターホン子機に設けられた撮像手段、例えばテレビカメラによって撮像された二次元映像を表示する画像表示手段、例えば液晶表示装置等によって構成された表示部６を備えている。また、図示していないが、訪問者が屋外に設置されているスイッチを操作することによって作動する報知手段、例えば音響発生手段、具体的にはチャイム音発生器を備えている。これらマイクロホン、スピーカ、表示部６及びチャイム音発生器は、インターホン親機４に設けられている制御部（図示せず）によって制御される。これらインターホン親機４は、訪問者がいつ来訪しても対応できるように常に電源が供給されて、作動している。
【００１６】
このインターホン親機４は、ルータ８及びモデム１０を介してインターネット１２に接続されている。なお、ルータ８及びモデム１０も、インターホン親機４と同様に常に電源が供給されて、作動している。
【００１７】
なお、図１では、１つの家庭２に設置されているインターホン親機４、ルータ８及びモデム１０のみを図示しているが、図示していないが、他の家庭２にも同様にインターホン親機４、ルータ８及びモデム１０が設置されている。
【００１８】
このインターネット１２には、サーバー、例えば各インターホン親機４に情報を伝送することが可能な情報提供サーバー１４が接続されている。この情報提供サーバー１４は、Ｗｅｂサーバーとして動作し、ＣＧＩを利用して情報を各インターホン親機４に伝送する。この情報提供サーバー１４には、インターネット１２を介して情報登録用コンピュータ１６から、各インターホン親機４に伝送すべき情報が登録される。また、情報提供サーバー１４には、各インターホン親機４に関連する情報、例えば各インターホン親機４のインターネット上のアドレス、各インターホン親機４が設置されている場所の住所、これら住所に設置されている電話器の電話番号等が、互いに対応させて記憶されている。
【００１９】
例えば、各家庭２を、Ａ、Ｂ及びＣの３つの地域に区画することができるとする。例えばＢ地域において災害、例えば火災が発生したとすると、このインターホンシステムの運用者が、情報登録用コンピュータ１６を操作して、インターホン親機４に伝送すべき情報として、火災発生場所の住所及び火災発生時刻を登録する。この登録が行われると、情報提供サーバー１４は、全てのインターホン親機４にこの情報を伝送することも可能であるが、警戒する必要のある地域はＢ地域であるので、登録されている各インターホン親機４の住所または電話番号からＢ地域に設置されているインターホン親機のアドレスを検索する。そして、これら検索されたアドレスに対して、登録情報（火災発生場所、火災発生時刻）をインターネット１２を介して伝送する。
【００２０】
Ｂ地域にある各インターホン親機４は、モデム１０及びルータ８を介して伝送された情報を受信し、表示部６に表示する。このとき、インターホン親機４に設置されているチャイム音発生器が作動し、情報提供サーバー１４から情報が伝送されていることを、このインターホン親機４の周囲に存在する人に報知する。これによって、インターホン親機４の表示部６を見ることによって、Ｂ地域において火災が発生していることを、Ｂ地域の家庭２に設置されているインターホン親機４において知ることができる。
【００２１】
この実施の形態では、常時動作しているが、訪問者があるまで実質的に使用されていないインターホン親機４の表示部６を使用して、火災等の災害が発生していることを、その災害の発生場所近傍にある住居の居住者に報知することができる。
【００２２】
本発明の第２の実施の形態のインターホンシステムは、図２に示すように、インターネット１２に接続されているサーバー１８が、情報提供サーバー１４ａの他にメールサーバー２０も有している。情報提供サーバー１４ａは、第１の実施の形態の情報提供サーバー１４とは異なり、直接に各インターホン親機４に情報を伝送する機能は備えていない。その代わりに、メールサーバー２０の所定のメールアドレスにメールを送信する機能を有している。例えば、情報提供サーバー１４ａは、各インターホン親機４のメールアドレス、住所、電話番号等を対応させて記憶しておき、情報登録用コンピュータ１６から、例えば第１の実施形態と同様に火災の発生場所及び発生時刻の情報が登録されたとき、その火災発生場所と、情報提供サーバー１４が記憶している各住所のうちから、メールを送信する必要のあるインターホン親機４を決定し、メールサーバー２０における決定されたインターホン親機４のメールアドレスを指定して、火災発生場所及び発生時刻等の情報を記載したメールを送信する。
【００２３】
各インターホン親機４は、メール受信機能を備えており、一定の時間間隔ごとに、メールサーバー２０における自己に割り当てられているメールアドレスにメールが到着していないかチェックする。そして、メールが到着していると、表示部６にメールの内容を表示し、チャイム音を発生する。これによって、第１の実施の形態と同様に、訪問者があったとき以外、殆ど使用されることがない表示部６を使用して、近隣に火災が発生していることをインターホン親機４の近傍にいる人に知らせることができる。
【００２４】
上記の両実施形態では、各インターネット親機４に伝送する情報として火災発生情報を使用したが、これに限ったものではなく、他の災害情報は勿論、様々な商店やメーカーの広告宣伝情報を伝送することもできる。上記の両実施の形態では、情報登録用コンピュータ１６を運用者が操作して、情報を情報提供サーバーに提供したが、監視手段、例えば火災報知器等を設け、これらが火災を検知したときに、自動的にその監視手段から情報提供サーバー１４に火災の発生を送信するように構成することもできる。上記の両実施形態では、インターホン親機４を使用したが、これは、屋内と屋外とで使用するインターホンを使用したからであり、例えば屋内の異なる部屋間で通話及び画像表示するインターホンの子機であっても、表示部６を備えているものであれば、使用することができる。また、第２の実施の形態では、サーバー２０では、情報提供サーバー１４ａとメールサーバー２０とを別個に設けたが、別個に設ける必要はなく、例えば情報提供サーバー１４ａにメールサーバー２０を内蔵させることもできる。
【図面の簡単な説明】
【００２５】
【図１】本発明の第１の実施形態のインターホンシステムのブロック図である。
【図２】本発明の第２の実施形態のインターホンシステムのブロック図である。
【符号の説明】
【００２６】
４  インターホン親機（インターホン機）
６  表示部（画像表示手段）
１２  インターネット
１４  １４ａ  情報提供サーバー（サーバー）
２０  メールサーバー（サーバー）
【図１】
2005176170.tif 000003
【図２】
2005176170.tif 000004